(57)【要約】      （修正有） 【課題】簡易な構造で、各ブロックを噛合わせにより強固に一体化させることができ、目地幅を小さくとれ目地砂の流出が防げ、路盤等への敷設パターンは直列貼りや１／２ずらし貼りに限られず、中間のずらし貼りに適用可能な天然舗石ブロックを得ること。【解決手段】平坦な表面11及び底面12を有する天然石六面体状のブロック本体10の周面を形成する前面13、後面14、左面15及び右面16の直立する平坦面に、平面視において小波状の凹凸部2が前記周面の前幅に渡って上下方向縦長に多数刻込まれ、凹凸部2 は山部のピッチ 、谷部のピッチ 、山谷部間の深さ及び山部の幅を所定範囲内においてランダムに変動させて形成されている天然舗石ブロック。【選択図】図１
0003104328.tif 000002
【実用新案登録請求の範囲】
【請求項１】
平坦な表面(11)及び底面(12)を有する天然石六面体状のブロック本体(10)の周面を形成する前面(13)、後面(14)、左面(15)及び右面(16)の直立する平坦面に、平面視において小波状の凹凸部(2) が前記周面の前幅に渡って上下方向縦長に多数刻込まれ、前記凹凸部(2) は山部のピッチ(p１ ) 、谷部のピッチ(p２ ) 、山谷部間の深さ(t) 及び山部の幅(w) を所定範囲内においてランダムに変動させて形成されていることを特徴とする天然舗石ブロック。
【請求項２】
ブロック本体(10)周面の凹凸部(2) の上端縁部に僅かな面取りがされていることを特徴とする請求項１に記載の天然舗石ブロック。
【請求項３】
凹凸部(2) がブロック本体(10)周面おいて上下部を除いた中間部のみに設けられていることを特徴とする請求項１に記載の天然舗石ブロック。
【請求項４】
凹凸部(2) のピッチ(p１ ) 及び(p２ ) は３〜６ｍｍ、深さ(t)
は１〜３ｍｍ、幅(w) は１〜３ｍｍの範囲にとられていることを特徴とする請求項１〜３のいずれかに記載の天然舗石ブロック。
【考案の詳細な説明】
【技術分野】
【０００１】
本考案は、道路の路盤等への表面舗装に用いられる天然舗石ブロックの改良に関する。
【背景技術】
【０００２】
通常方形体状の天然舗石ブロックは、道路の路盤等への表面舗装に用いると耐久性、美感に優れ、重厚感にあふれ多用されつつある。しかし天然石を切出した六面体のままの天然舗石ブロックを敷設すると、膨張や車両等の往来によって破壊やがたつきが生ずる場合が多い。
【０００３】
これに対し、天然石六面体のブロックの各直立面に縦方向に等間隔にやや幅広の突条を設け、隣接するブロックの向合う突条同士を噛合わせて接合部に砂目地を装填可能な道路等の敷設する天然舗石ブロックがある。
又天然石の六面体の一方の隣接直立面にクッション材を等間隔に接着し、他方の隣接直立面にはクッション材を接着することなく平坦に形成して、接合部に砂目地を装填可能なようにして膨張等による破壊防止を目的とした下記特許文献１に記載の天然舗石ブロックがある。
【特許文献１】特開平８−２０９６０４号公報
【考案の開示】
【考案が解決しようとする課題】
【０００４】
しかし、前記した縦方向に等間隔に突条を設けた天然舗石ブロックでは、突条同士を噛合わせて強度は得られるが、目地幅が大きく目地砂の流出する場合があり、路盤等への敷設パターンは直列貼りや１／２ずらし貼りに限られ、中間のずらし貼りは困難という制約がある。
前記［特許文献１］に記載の天然舗石ブロックは、一方の隣接直立面にクッション材を等間隔に接着し、他方の隣接直立面にはクッション材を接着することなく平坦に形成しているので、ずらし貼りの制約は少ないが、クッション材を等間隔に接着しており、製作上のコストがかかり、経時変化を起こしやすいし、噛合わせによる強度の確保が弱い。
これに対し、本考案は、簡易な構造で作業性に優れ、各ブロックを噛合わせにより強固に一体化させることができ、目地幅を小さくとれ目地砂の流出が防げ、路盤等への敷設パターンは直列貼りや１／２ずらし貼りに限られず、中間のずらし貼りにも自由に適用可能な天然舗石ブロックを得ることを目的とする。
【課題を解決するための手段】
【０００５】
この目的を達成するために、
請求項１の考案にあっては、平坦な表面(11)及び底面(12)を有する天然石六面体状のブロック本体(10)の周面を形成する前面(13)、後面(14)、左面(15)及び右面(16)の直立する平坦面に、平面視において小波状の凹凸部(2) が前記周面の前幅に渡って上下方向縦長に多数刻込まれ、前記凹凸部(2) は山部のピッチ(p１ ) 、谷部のピッチ(p２ ) 、山谷部間の深さ(t) 及び山部の幅(w) を所定範囲内においてランダムに変動させて形成されている天然舗石ブロックにより解決した。
請求項２の考案にあっては、ブロック本体(10)周面の凹凸部(2) の上端縁部に僅かな面取りがされている請求項１に記載の天然舗石ブロックとするのが好ましい。
請求項３の考案にあっては、凹凸部(2) がブロック本体(10)周面おいて上下部を除いた中間部のみに設けられている請求項１に記載の天然舗石ブロックとすることができる。
請求項４の考案にあっては、凹凸部(2) のピッチ(p１ ) 及び(p２ ) は３〜６ｍｍ、深さ(t)
は１〜３ｍｍ、幅(w) は１〜３ｍｍの範囲にとられている請求項１〜３のいずれかに記載の天然舗石ブロックとするのが好ましい。
【考案の効果】
【０００６】
本考案の天然舗石ブロックによれば、六面体の各直立面に形成された簡易な構造で作業性に優れ、各ブロックを噛合わせにより強固に一体化させることができ、目地幅を小さくとれ目地砂の流出が防げ、路盤等への敷設パターンは直列貼りや１／２ずらし貼りに限られず、中間のずらし貼りにも自由に適用可能である。
【考案を実施するための最良の形態】
【０００７】
本考案の実施の形態を図面を参照して説明する。
図１は、本考案の天然舗石ブロックの一例の斜視図である。
図２は、図１の天然舗石ブロックの一部平面図である。
図３は、図１の天然舗石ブロックの隣接する二枚の噛合わせ部分の拡大説明図である。 
図４は、図１の天然舗石ブロックを路盤等への表面舗装に用いた場合のパターン三例を示す概略平面図である。
以下においては、本考案の天然舗石ブロックの路盤への敷設時において、路盤側を下、敷設した天然舗石ブロック表面側を上、人、車両等の移動方向下流側を前及び上流側を後、移動方向と直交する方向を下流側より見て左右として説明する。
【０００８】
図１、２において、Ａは本考案の天然舗石ブロックの一例であって、天然舗石ブロックＡは、天然石例えば大理石、花崗岩等をカッターで切り出して作られた左右幅ｘ、前後長さｙ、高さｈの六面体状のブロック本体１と、直立する各周面に設けられた下記に詳述する凹凸部２によって形成されている。
ブロック本体１は、表面１１、底面１２、前面１３、後面１４、左面１５、右面１６よりなり、表面１１及び底面１２は全体が平坦面にとられ、周面を形成する前面１３、後面１４、左面１５及び右面１６はそれぞれ直立する平坦面にとられている。各周面には、平面視において小波状の凹凸部２が前幅に渡って上下方向縦長に多数刻込まれている。凹凸部２は山部のピッチｐ１ 、谷部のピッチｐ２ 、山部の頂と谷部の底と間の深さｔ及び山部の幅ｗにとられているが、これらの値は所定範囲内においてランダムに変動させているので、多数の凹凸部２は規則的に揃っていない。ここで、ピッチｐ１ 及びｐ２ は３〜６ｍｍ、深さｔは１〜３ｍｍ、幅ｗは１〜３ｍｍの範囲にとるのが好ましく、これらの値より小さいと凹凸部２が細か過ぎて弱く隣接する二枚の天然舗石ブロックＡの噛合わせのとき崩れたり欠け易くなり、これらの値より大きと噛合わせ部分に形成される目地幅が広くなり過ぎて車椅子等通過の際にガタつきやすい。
【０００９】
凹凸部２は、本例ではブロック本体１０周面の凹凸部２の上端縁部に僅かな面取りがされており、前面１３には面取り１３ａ、後面１４には面取り１４ａ、左面１５には面取り１５ａ、右面１６には面取り１６ａがそれぞれ表面１１との間に高さｅだけ設けられ、傾斜する各面取り部分には凹凸部２が設けられていない。この高さｅは通常１〜２ｍｍの僅少値にとられる。これは、後述する通り天然舗石ブロックＡを路盤等への表面舗装に敷詰めた場合、凹凸部２が表面側より目立たないので仕上がり状態がよくなり好ましい。これらの各面取りを設けることなく高さｈ全体に渡って凹凸部２を設けてもよいし、高さｈの上下を除いた中間部のみに凹凸部２を設けることとしてもよいが、仕上がり状態、製造上の手間、天然舗石ブロックＡの噛合わせ強度上からは本例のようにした方が好ましい。
ここで、ブロック本体１の各部寸法は通常使い勝手より左右幅ｘ×前後長さｙは１００ｍｍ×１００ｍｍ〜６００ｍｍ×６００ｍｍ、高さｈは４０〜１２０ｍｍにとられているがこれに限定されない。
【００１０】
次に、図３、４において、天然舗石ブロックＡの路盤等への敷設について説明する。
図４は、天然舗石ブロックＡの六枚（Ａ１ 乃至Ａ６ ）を施工した状態を示し、例えば矢印Ｐ方向を車、人等の移動方向にとり、矢印Ｐ方向に直交する方向を道路の幅方向にとり、道路の大きさに応じて適宜敷設枚数を加減する。そして、図４は路盤等への敷設の直列貼り、１／２ずらし貼り、１／４ずらし貼りの敷設パターンの三例を示し、図３は路盤等への敷設時における二枚の天然舗石ブロックＡ１ 、Ａ２ の噛合わせ部分を拡大したもので直列貼りの例である。
図４（ａ）に示す直列貼りにおいては、隣接する天然舗石ブロックＡ１ の前面１３と天然舗石ブロックＡ２ の後面１４とは向合って路盤等に敷設され、このとき図３に示す天然舗石ブロックＡ１ 側の凹凸部２−１と天然舗石ブロックＡ２ 側の凹凸部２−２とは前記した通りは所定範囲内においてランダムに変動して設けられているので、各凹凸部が完全に一致することはなく、一方の凸部と他方の凹部が向合ったときは互いに噛合い天然舗石ブロックＡ１ 、Ａ２ のズレを防止し、一方の凸部と他方の凸部が向合ったときは噛合わずに間隙ができこの間隙に目地砂３を充填して天然舗石ブロックＡ１ 、Ａ２ 間に摩擦を生させ、目地砂３の流出防止とクッション効果が得られ、両ブロックを強固に一体化させることができる。又施工方法が単純で作業性に優れている。
さらに天然舗石ブロックＡ１ の左面１５と天然舗石ブロックＡ３ の右面１６、天然舗石ブロックＡ２ の左面１５と天然舗石ブロックＡ４ の右面１６、天然舗石ブロックＡ３ の前面１３と天然舗石ブロックＡ４ の後面１４・・・と順次各ブロックの敷設の進行によって隣り合う面を向合せて、前記直列貼りと同様に敷設して最後に間隙に目地砂３を充填して施工が完了する。
【００１１】
図４（ｂ）に示す１／２ずらし貼り、及び図４（ｃ）に示す１／４ずらし貼りの場合には、直列貼りにおける各天然舗石ブロックの１：１の向合う面をそれぞれの幅の１／２又は１／４ずらして向合わせて敷設することによって得られる。このとき、各ブロック本体１の直立する各周面に設けられた前記凹凸部２によってそれぞれずれた位置において各ブロックを強固に一体化させることができる。又１／２ずらし貼り又は１／４ずらし貼りに限定されず、中間の任意にずらした位置にして多様な敷設パターンにおいても使用可能である。
【産業上の利用可能性】
【００１２】
本考案の天然舗石ブロックは、道路の路盤等の表面舗装において、目地砂の流出防止とクッション効果、向合う各ブロックの強固な一体化、そして多様な敷設パターンにおいて使用可能である。
【図面の簡単な説明】
【００１３】
【図１】本考案の天然舗石ブロックの一例の斜視図である。
【図２】図１の天然舗石ブロックの一部平面図である。
【図３】図１の天然舗石ブロックの隣接する二枚の噛合わせ部分の拡大説明図である。
【図４】図１の天然舗石ブロックを路盤等への表面舗装に用いた場合の概略平面図で、（ａ）直列貼り、（ｂ）１／２ずらし貼り、（ｃ）１／４ずらし貼りの三例の場合を示す。
【符号の説明】
【００１４】
Ａ、Ａ１ 〜Ａ６ 
１ 
ブロック本体
１１  表面
１２  底面
１３  前面
１４  後面
１５  左面
１６  右面
１３ａ、１４ａ、１５ａ、１６ａ  面取り
２ 
凹凸面
３ 
目地砂
ｐ１   山部ピッチ
ｐ２   谷部ピッチ
ｔ    深さ
ｅ、ｈ 
高さ
【図１】
0003104328.tif 000003
【図３】
0003104328.tif 000004
【図４】
0003104328.tif 000005
【図２】
0003104328.tif 000006